(57)【要約】【課題】本発明は、屋根材の再塗装時、屋根材の重ね合せ部の塗膜に雨水等が滞留しないように縁切り具を挿入する時、また、左右に移動させ広い屋根面の塗膜部を縁切りする時、軽い力で効率良く行える縁切り具を得るにある。【解決手段】屋根材の再塗装時、屋根材の重ね合せ部の塗膜部をテコの作用を活用して縁切りする縁切り具であって、前記縁切り具はその前方に屋根材の重ね合わせ部に挿入する刃物部と、その後方の本体の端部に設けたグリップ部と、前記刃物部と本体の端部に設けたグリップ部の連結部を基点に一定の角度を設け、更に刃物部の底部にテコ作用の支点となる支点部とで構成されている。【選択図】図１
2006169928.tif 000002
【特許請求の範囲】
【請求項１】
屋根の再塗装時、屋根材の重ね合せ部の塗膜部をテコの作用を活用して縁切りする縁切り具であって、前記縁切り具はその前方に屋根材の重ね合わせ部に挿入する刃物部と、その後方の本体の端部に設けたグリップ部と、前記刃物部と本体の端部に設けたグリップ部の連結部を基点に一定の角度を設け、更に刃物部の底部にテコ作用の支点となる支点部を設けたことを特徴とする縁切り具。
【請求項２】
屋根の再塗装時，屋根材の重ね合せ部の塗膜部をテコの作用を活用して縁切りする縁切り具であって、前記縁切り具はその前方に屋根材の重ね合わせ部に挿入する刃物部と、その後方の本体の端部に設けたグリップ部と、前記刃物部と本体の端部に設けたグリップ部の連結部を基点に一定の角度を設け、更に前記連結部の底部にテコ作用となる複数の支点部を設けたことを特徴とする縁切り具。
【請求項３】
縁切り具の刃物部には、その前方および側面部にも刃先を設けたことを特徴とする請求項１、あるいは請求項２記載の縁切り具。
【請求項４】
縁切り具のグリップ部は、スライド方式，ネジ等で伸縮自在になるよう形成されることを特徴とする請求項１ないし請求項３記載の縁切り具。
【発明の詳細な説明】
【技術の分野】
【０００１】  本発明は屋根の再塗装時、屋根材の重ね合せ部の塗膜部を縁切りする縁切り具に関する。
【背景技術】
【０００２】  従来、屋根の再塗装時、屋根材の重ね合せ部に雨水等が溜まらないように塗膜部を縁切りする縁切り具として、皮スキ、ケレン棒などがあった。【０００３】  しかしながら、従来の皮スキ、ケレン棒等で屋根材を少し持ち上げながら、左右に移動させ塗膜部の縁切りを行う方法は、屋根材の重ね合せ部への挿入と屋根材を少量浮かすかたちで左右に移動させるには強い力を要し、広い屋根面を作業するには多大な労力を要し作業効率が悪いと言う欠点があった。
【非特許文献】ダブルシリコン工法。カタログ。関西ペイント株式会社。
【発明の開示】
【発明が解決しようとする課題】
【０００４】  本発明は、以上のような従来の欠点に鑑み、屋根材の再塗装時、屋根材の重ね合せ部の塗膜部に雨水等が滞留しないように縁切り具を挿入する時、また、左右に移動させ広い屋根面の塗膜部を縁切りする時、軽い力で効率良く行える縁切り具を提供することを目的とする。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術範囲を限定するものではない。
【課題を解決するための手段】
【０００６】  上記目的を達成するため、本発明は屋根材の再塗装時、屋根材の重ね合せ部の塗膜部をテコの作用を活用して縁切りする縁切り具であって、前記縁切り具はその前方に屋根材の重ね合わせ部に挿入する刃物部と、その後方の本体の端部に設けたグリップ部と、前記刃物部と本体の端部に設けたグリップ部の連結部を基点に一定の角度を設け、更に刃物部の底部にテコ作用の支点となる支点部とで構成されている。
【発明の効果】
【０００７】  以上の説明から明らかなように、本発明にあたっては次に列挙する効果が得られる。
１）屋根の再塗装時、屋根材の重ね合せ部の塗膜部をテコの作用を活用して縁切りする縁切り具であって、前記縁切り具はその前方に屋根材の重ね合わせ部に挿入する刃物部と、その後方の本体の端部に設けたグリップ部と、前記刃物部と本体の端部に設けたグリップ部の連結部を基点に一定の角度を設け、更に刃物部の底部にテコ作用の支点となる支点部を設けたことで構成とされているので、刃物部を屋根材の重ね合せ部に挿入後，グリップ部を下方向に移動させることで刃物部に強い力が働く。
よって、従来の手動のみで屋根材の重ね合せ部の塗膜部を縁切りしていた時と比較し、軽い力で、迅速で、且つ確実に縁切りが出来るので、作業効率が上がり、経済的である。
更に、本縁切り具は、二つの刃物部で中間が空間の広幅となっているので、従来の狭い刃物部と比較し、屋根材の重ね合せ部に挿入する幅が広いため、一度に広い塗膜部の縁切りが可能となり作業効率が上がる。【０００８】２）請求項２では請求項１で得られる効果と、更に、刃物部の底部に複数個のテコ支点により、刃物部の先端が屋根材の重ね合せ部に少量挿入された時点で、第１のテコ支点部を基点にテコ作用が働き、更に、挿入が進んだ時点で第２のテコ支点部を基点にテコ作用が働くので屋根材の重ね合せ部への迅速な挿入と塗膜部の縁切りが軽い力で行えるので作業効率が上がる。【０００９】３）請求項３では、刃物が側面部にも設けられているため、一度、屋根材の重ね合せ部に挿入された刃物部を左右に移動させるだけで塗膜部の縁切りを行うことが出来る。
よって、一度に広い範囲の塗膜部の剥離が可能となるので、作業効率が上がり、経済的である。【００１０】４）請求項４では、縁切り具のグリップ部は伸縮が可能な為、作業時グリップ部を長くすることで、グリップ部に軽い力を加えるだけで大きなモーメントが働き、軽い力で塗膜部の縁切りが可能となり、作業効率が上がり、経済的である。
また、グリップ部は伸縮が可能なので，縁切り具の収納スペースも削減できる。
【発明を実施するための最良の形態】
【００１１】  以下、図面に示す実施するための最良の形態により、本発明を説明する。【００１２】  図１ないし図５は、本発明の第１の実施するための最良の形態において、１は本発明の縁切り具で、２は本体で、３はグリップ部、４は屋根材の重ね合せ部９に挿入される刃物部である。刃物部４の底部には第１のテコ支点部５が設けられている。【００１３】  縁切り具１の材料は、刃物部４、本体２は、塗膜部を切断したり、屋根材を浮き上がらせたりと高強度を要するので鉄系が好ましい。グリップ部は握りやすく、適度の力を本体に与えればよいため樹脂、木材でもよい。【００１４】  本縁切り具の特徴は、図１に示すように刃物部４が複数からなるもの、図４のように単一の刃物部４からなるものが考えられる。
また、図３に示す通り、本体２と刃物部４の連結部６で一定の角度を形成している。【００１５】  図６は、屋根材８を再塗装したもので、屋根材の重ね合せ部９に塗膜部１１が形成された状態を示したものである。
図７は、屋根材の重ね合せ部９に縁切り具１を挿入し、塗膜部１１を縁切りした状態を示したものである。【００１６】  塗膜部１１の縁切りは、屋根材の重ね合せ部９に刃物部４を挿入し、第１のテコ支点部５を基点にグリップ部３を下方向に移動させることでテコの作用が働き、容易に塗膜部１１の縁切りが行われる。刃物部４の挿入量は約４〜５ｃｍが望ましい。
【発明を実施するための異なる形態】
【００１７】  次に、図８ないし図１６に示す本発明を実施するための異なる形態について説明する。
尚、これらの本発明を実施するための異なる形態にあたって、前記本発明の第１の実施するための最良の形態と同一構成部分には同一符号を付して重複の説明を省略する。
【００１８】  図８ないし図９に示す本発明の第２の実施の形態において、前記発明の第１の実施するための最良の形態と異なる点は、刃物部４の底部のテコとなる支点部が複数個から形成される点である。
刃物部４が屋根材の重ね合せ部９へ軽い力で、順次挿入されることを狙ったものである。図１０に示すように、刃物部４の先端が屋根材の重ね合せ部９に挿入された時点で塗膜部１１の縁切りが行われ、第１のテコ支点部５を基点にグリップ部３を下方向に移動することで、テコの作用が働き、屋根材の重ね合せ部９は浮き上がり、塗膜部１１の縁切りは水平方向に拡大される。
【００１９】  図１１に示すように、刃物部４を前進させ、第２のテコ支点部５’を基点に刃物部４を下方向に移動させることで、テコの作用が働き塗膜部１１の縁切りは更に拡大される。
【００２０】  図１２ないし図１４に示す本発明の第３の実施の形態において、前期本発明の第２の実施するための最良の形態と異なる点は、図１２に示すように、刃物部４の上面の先端および側面部が鋭利な刃形状を成していることである。図１４にその断面を示す。
本発明では、刃物部４の側面部も鋭利な刃形状を形成しているため、刃物部４を屋根材の重ね合せ部９に挿入後、左右に移動させることで塗膜部１１の縁切りは進められる。従って、本発明の縁切り具の適用で、広い範囲の塗膜部１１の縁切りを効率良く行うことが出来る。
尚、前記の説明に用いた図１４では、刃物部４は単一のものとなっているが、図１に示す複数の刃物部でも同様の作用と効果が得られる。
【００２１】  図１５ないし図１６に示す本発明の第４の実施するための形態において、前記本発明の第３の実施するための形態と主に異なる点は、グリップ部３が伸縮する形態を取っている点である。伸縮の形態は、図１５に示す如く、本体２のグリップ部３に筒１２を設け、本筒１２を移動させた後、止めネジ１３で止める方法、図１６の如く、グリップ部３の外周部に伸縮用ネジ１４を設け、内周部にネジ加工したネジ付き筒１５を移動さすことで伸縮させる方法等が考えられる。
【００２２】  前記の方法でグリップ部３を伸ばすことで、モーメントが大きくとれる。従って、テコ作用も増し、刃物部４を屋根材の重ね合せ部９に挿入し、屋根材の重ね合せ部９を浮き上がらせて塗膜部１１の縁切りを行う時も軽い力で効率良く行うことが出来る。
【産業上の利用可能性】
【００２３】  本発明は、屋根材に再塗装する塗料を提供する塗料メーカー、および、塗装業者に利用される。
【図面の簡単な説明】
【００２４】
【図１】本発明の第１の実施の形態の斜視図。
【図２】本発明の第１の実施の形態の平面図。
【図３】本発明の第１の実施の形態の側面図。
【図４】本発明の第１の実施の形態の平面図。
【図５】本発明の第１の実施の形態の側面図。
【図６】本発明の第１の実施の形態の屋根材の重ね合せ部の塗膜部が形成された図。
【図７】本発明の第１の実施の形態の屋根材の重ね合せ部に縁切り具を挿入した図。
【図８】本発明の第２の実施の形態の平面図。
【図９】本発明の第２の実施の形態の側面図。
【図１０】本発明の第２の実施の形態の屋根材の重ね合せ部に縁切り具を挿入した図（１）。
【図１１】本発明の第２の実施の形態の屋根材の重ね合せ部に縁切り具を挿入した図（２）。
【図１２】本発明の第３の実施の形態の平面図。
【図１３】本発明の第３の実施の形態の側面図。
【図１４】本発明の第３の実施の形態の断面図。
【図１５】本発明の第４の実施の形態の斜視図（１）。
【図１６】本発明の第４の実施の形態の斜視図（２）。
【符号の説明】
【００２５】１：縁切り具、
２：本体、
３：グリップ部、
４：刃物部、
５：第１のテコ支点部、
５’：第２のテコ支点部、
６：連結部、
７：屋根、
８：屋根材、
９：屋根材の重ね合せ部、
１０：野地板、
１１：塗膜部、
１２：筒、
１３：止めネジ
１４：伸縮用ネジ
１５：ネジ付き筒
【図１】
2006169928.tif 000003
【図２】
2006169928.tif 000004
【図３】
2006169928.tif 000005
【図４】
2006169928.tif 000006
【図５】
2006169928.tif 000007
【図６】
2006169928.tif 000008
【図７】
2006169928.tif 000009
【図８】
2006169928.tif 000010
【図９】
2006169928.tif 000011
【図１０】
2006169928.tif 000012
【図１１】
2006169928.tif 000013
【図１２】
2006169928.tif 000014
【図１３】
2006169928.tif 000015
【図１４】
2006169928.tif 000016
【図１５】
2006169928.tif 000017
【図１６】
2006169928.tif 000018